(57)【特許請求の範囲】
【請求項１】
筒状のケースＡと、該ケース内に収納固定した弾性圧搾可能な胴部14より口頚部15を起立するとともに、口頚部に嵌着した点眼用ノズルＤをケース頂板A2を貫通して突出させ、且つ、胴部周壁上下方向中央部の相対向部分に一対の下方へ広がる上向き傾斜段部16を横設してなる容器体Ｂと、各傾斜段部16上方の容器体胴部14外面を嵌合挟持する一対の押圧棒20を支持板21より突設するとともに、支持板上端をケース頂板A2を貫通して点眼用ノズルＤ側方へ突出させ、且つ、押し下げ可能に設けた圧搾部材Ｃとを備えてなることを特徴とする目薬容器。
【請求項２】
上記ケースＡが、上端を開口した有底筒状の本体A1と、該本体の周壁４上端部に周縁部を嵌着固定して本体上端開口を閉塞してなる頂板A2とからなるケースであり、上記胴部14を本体周壁４内面に突設した係止突条６により固定するとともに、頂板A2より立設した上下端開口の固定筒８内に口頚部15を嵌合させて容器体ＢをケースＡ内に収納固定させてなる請求項１記載の目薬容器。
【請求項３】
上記各傾斜段部16が、容器体胴部の相対向部分に形成した帯状凹部ａの下側壁で形成する傾斜段部16である請求項１記載の目薬容器。
【発明の詳細な説明】
【０００１】
【発明の属する技術分野】
本発明は目薬容器に関する。
【０００２】
【従来の技術】
目薬容器としては、目薬を収納した圧搾可能な胴部より口頚部を起立するとともに、口頚部に点眼用ノズルを嵌着させた容器体と、容器体の口頚部に着脱自在に嵌合させたキャップとからなるものが極一般に知られている。
【０００３】
【発明が解決しようとする課題】
上記従来の目薬容器は、例えば使用の際キャップを外し、上を向いた眼前に点眼用ノズルを向け、胴部を圧搾して点眼する。その際、指がノズルの先端から比較的離れているため、距離感が掴み難く、眼に液を滴下する際の狙いを外し易いという虞があった。
【０００４】
本発明は、上記した点に鑑み、眼の適正位置に確実容易に点眼でき、また、収納目薬を使い切った際には容器体を交換することが出来、しかもその交換も容易に行える優れた目薬容器を提案するものである。
【０００５】
【課題を解決するための手段】
本請求項１発明の目薬容器は、上記課題を解決するため、筒状のケースＡと、該ケース内に収納固定した弾性圧搾可能な胴部14より口頚部15を起立するとともに、口頚部に嵌着した点眼用ノズルＤをケース頂板A2を貫通して突出させ、且つ、胴部周壁上下方向中央部の相対向部分に一対の下方へ広がる上向き傾斜段部16を横設してなる容器体Ｂと、各傾斜段部16上方の容器体胴部14外面を嵌合挟持する一対の押圧棒20を支持板21より突設するとともに、支持板上端をケース頂板A2を貫通して点眼用ノズルＤ側方へ突出させ、且つ、押し下げ可能に設けた圧搾部材Ｃとを備えてなることを特徴とする目薬容器として構成した。
【０００６】
また、請求項２発明の容器は、上記ケースＡが、上端を開口した有底筒状の本体A1と、該本体の周壁４上端部に周縁部を嵌着固定して本体上端開口を閉塞してなる頂板A2とからなるケースであり、上記胴部14を本体周壁４内面に突設した係止突条６により固定するとともに、頂板A2より立設した上下端開口の固定筒８内に口頚部15を嵌合させて容器体ＢをケースＡ内に収納固定させてなる請求項１記載の目薬容器として構成した。
【０００７】
また、請求項３発明の容器は、上記各傾斜段部16が、容器体胴部の相対向部分に形成した帯状凹部ａの下側壁で形成する傾斜段部16である請求項１記載の目薬容器として構成した。
【０００８】
【発明の実施の形態】
以下、本発明の実施例の形態を図面を参照して説明する。
本発明の目薬容器１は、ケースＡと、容器体Ｂと、圧搾部材Ｃとを備えている。
【０００９】
ケースＡは、容器体Ｂを収納固定させるためのもので、合成樹脂等より形成した筒状をなしている。
本実施例ではケースＡを、上端を開口した有底筒状の本体A1と、該本体の周壁上端部に周縁部を嵌着固定して本体上端開口を閉塞する頂板A2とから構成している。また、本実施例では、頂板A2上面を開閉可能に閉塞するキャップ２を、頂板A2と一体に形成している。
【００１０】
本体A1は、前後方向に長い矩形状の底壁３周縁部より周壁４を立設するとともに、周壁内面左右には、後述する圧搾部材Ｃの押圧棒の外方への膨出を防止してその上下動を案内する縦長の案内リブ５をそれぞれ間隔をあけて複数縦設し、内面前後中央部からは容器体Ｂを固定するための係止突条６をそれぞれ縦設しており、後部の係止突条６は圧搾部材を収納する空間を得るために前後方向に幅広に構成している。
【００１１】
頂板A2は、本体周壁４内周上部に嵌合させた嵌合筒７を下面周縁部より垂設するとともに、周縁部上面に蓋体周壁を嵌合させるための上向き段部を周設している。また、前部中央部には後述する容器体の口頚部を嵌合させるための固定筒８を立設しており、また、後部中央には圧搾部材Ｃを突出させるための窓孔９を穿設している。
【００１２】
キャップ２は、頂板A2の後部に薄肉ヒンジ10を介して後部下端部を回動可能に連結した周壁11上端縁より頂壁12を延設するとともに、頂壁12下面より棒栓13を垂設している。尚、キャップはケースと別体に形成しても良い。
【００１３】
容器体Ｂは合成樹脂等により形成されたもので、ケースＡ内に収納固定した弾性圧搾可能な胴部14より口頚部15を起立するとともに、口頚部15に嵌着した点眼用ノズルＤを頂板A2を貫通して突出させ、且つ、胴部14の周壁上下方向中央部の相対向部分に一対の下方へ広がる上向き傾斜段部16を設けている。
【００１４】
この傾斜段部16は、圧搾部材Ｃの後述する押圧棒を、傾斜段部16を圧搾しつつ下方へ移行させることにより、胴部14内容積を狭め収納液の注出を行い、また、圧搾部材Ｃの下方押圧力を解除した際に弾性復元して各押圧棒を上方へ押し上げる如く構成したもので、本実施例の如くフラットな傾斜段部に限らず、若干湾曲した傾斜を有する傾斜段部であっても良い。また、傾斜段部16は、図示例の如く、胴部14上下方向中央の相対向する位置に横設した帯状凹部ａの下側壁で形成する傾斜段部16として構成しても良い。この様に帯状凹部の下側壁として傾斜段部16を形成することにより、液を効率良く収納できる如く構成している。尚、傾斜段部16はこの実施例に限らず、単なる上向き傾斜段部として構成し、段部上方を下方より縮径した状態で容器体胴部を形成しても良い。
【００１５】
本実施例では、楕円筒状に形成した胴部14の上端より円筒状の口頚部15を起立して容器体Ｂを構成している。また、点眼用ノズルＤは、口頚部15内に密嵌させた筒状基部17の上端縁より外方にフランジ18を延設し、該フランジを口頚部15上面に当接させ、また、フランジ18内周縁より上方へ注出筒部19を立設して構成している。
【００１６】
そして、胴部14の前後面を、上記係止突条６，６内側面間に挟持させるとともに、口頚部15を固定筒８内に嵌合固定させ、また、点眼用ノズルＤの注出筒部19を固定筒８上端開口より上方へ突出させて容器体ＢをケースＡに収納固定しており、キャップ２の閉蓋時には、棒栓13が注出筒部19内に密嵌する如く構成している。
【００１７】
圧搾部材Ｃは、各傾斜段部16上方の容器体胴部14外面を嵌合挟持する一対の押圧棒20を支持板21より突設するとともに、支持板21上端をケース頂板A2を貫通して点眼用ノズルＤ側方へ突出させ、且つ、押し下げ可能に設けている。
【００１８】
本実施例では、左右一対の前後方向に延びる押圧棒20を、縦長矩形状の支持板21下端左右より前方へ突出させ、上記窓孔９よりケース頂板A2上方へ突出させた支持板21の上端部は若干小幅化させて、その上端から後方へ平板状の押圧板22を一体に延設している。また、支持板21の前面外側縁部と押圧棒20上面外側縁とをそれぞれ一辺とする三角板状の補強板部23をそれぞれ一体に延設し、各補強板部23内面を容器体胴部左右に摺動可能に嵌合させている。また、各押圧棒20の外側面は、上記各案内リブ５内側面に当接させて、圧搾部材Ｃを下方へ押し下げた際に、各押圧棒20が外方へ膨れない様に構成している。
【００１９】
上記の如く構成した容器を使用する場合について説明すると、まず、図１の状態からキャップ２を開き、点眼用ノズルＤ先端を眼上方に位置させ、押圧板22を押し込むことにより、各押圧棒20が傾斜段部16上を下降して胴部14を圧搾し、収納液をノズルＤ先端より滴下する。この際、点眼用ノズルＤと、押圧板22とが殆ど同レベルに位置するため、眼と点眼用ノズルとの距離をつかみ易く、正確な点眼を行える。また、押圧板22の押圧を解除すると胴部14が弾性復元し、それに伴い傾斜段部16外面が各押圧棒20を上方へ押し上げ、圧搾部材Ｃを元の状態に戻す。
尚、上記各部材は合成樹脂で形成すると良い。
【００２０】
【発明の効果】
以上説明した如く本発明目薬容器は、既述構成としたことにより、点眼の際に手元を狂わすことなく正確に点眼を行えるものである。
【００２１】
また、ケースＡが、上端を開口した有底筒状の本体A1と、該本体の周壁４上端部に周縁部を嵌着固定して本体上端開口を閉塞してなる頂板A2とからなるケースであり、胴部14を本体周壁４内面に突設した係止突条６により固定するとともに、頂板A2より立設した上下端開口の固定筒８内に口頚部15を嵌合させて容器体ＢをケースＡ内に収納固定させてなるものにあっては、容器体の組み付けが容易に行えるとともに、容器体の交換も容易に行える利点を兼ね備えている。
【００２２】
また、各傾斜段部16が、容器体胴部の相対向部分に形成した帯状凹部ａの下側壁で形成する傾斜段部16である場合には、容器体の容量を殆ど少なくすることなく傾斜段部を形成することができ、液を効率よく収納できる利点を兼ね備えている。
【図面の簡単な説明】
【図１】本発明の一実施例を示す縦断面図である。
【図２】同実施例の縦断面図である。
【図３】同実施例の頂板を外した状態の平面図である。
【図４】同実施例の容器体の斜視図である。
【図５】同実施例の圧搾部材の斜視図である。
【符号の説明】
４…本体周壁，６…係止突条，８…固定筒，14…胴部，15…口頚部，
16…傾斜段部，20…押圧棒，21…支持板，Ａ…ケース，A1…本体,
A2…頂板，Ｂ…容器体，Ｃ…圧搾部材，Ｄ…点眼用ノズル，ａ…帯状凹部
【図１】
0003732325.tif 000002
【図２】
0003732325.tif 000003
【図３】
0003732325.tif 000004
【図４】
0003732325.tif 000005
【図５】
0003732325.tif 000006